(57)【要約】【課題】幾つもの支線系（１５０Ｍｂｐｓ）ネットワークが接続された基幹系（２．４Ｇｂｐｓ）ネットワークの伝送装置において、運用・保守に使用される支線系のＳＤＨのオーバーヘッドの情報バイトを基幹系ネットワーク上で透過伝送し、支線系ネットワーク相互間でより高速に伝達可能にする。【解決手段】基幹系ＳＤＨ伝送装置１−１，１−４は、基幹系ネットワーク及び支線系ネットワークの伝送路から到来するＳＤＨオーバーヘッドの情報バイトを一括して終端し、支線系と基幹系との間で、ＳＤＨオーバーヘッドの相互乗り入れを行う場合、基幹系のＳＤＨオーバーヘッドの未使用バイト領域（例えばＺバイト等）を活用し、支線系のオーバーヘッドのバイトを、基幹系のＳＤＨオーバーヘッドの未使用バイト領域にマッピングして透過伝送を行う。【選択図】      図１
2005080037.tif 000002
【特許請求の範囲】
【請求項１】
基幹系ネットワークに支線系ネットワークを接続したネットワークシステムにおいて、支線系ネットワークの運用に使用する特定のオーバーヘッドバイトを、基幹系ネットワークの伝送フォーマットのオーバーヘッドの未使用バイトを利用して基幹系ネットワーク上で透過伝送し、複数の支線系ネットワーク間で基幹系ネットワークを経由してオーバーヘッドを透過伝送することを特徴とするオーバーヘッド透過伝送方法。
【請求項２】
基幹系ネットワークと支線系ネットワークとに接続され、基幹系ネットワークから支線系ネットワークへ、また支線系ネットワークから基幹系ネットワークへ伝送データを中継する機能を備えた伝送装置であって、
支線系ネットワークの運用で使用される特定のオーバーヘッドバイトを、基幹系ネットワークの伝送フォーマットのオーバーヘッドの未使用バイトにマッピングする手段と、
該基幹系ネットワークの伝送フォーマットのオーバーヘッドにマッピングされた支線系ネットワークの特定のオーバーヘッドバイトを、支線系ネットワークの伝送フォーマットのオーバーヘッドに移し替える手段とを有し、
支線系ネットワークと基幹系ネットワークとの間でオーバーヘッドを透過伝送するオーバーヘッド透過伝送手段を備えたことを特徴とするオーバーヘッド透過伝送装置。
【請求項３】
基幹系ネットワーク及び支線系ネットワークのそれぞれの伝送路を、前記オーバーヘッド透過伝送手段に選択的に接続する選択スイッチを備え、オーバーヘッドの透過伝送対象の伝送路を選択してオーバーヘッドの透過伝送を行う構成を備えたことを特徴とする請求項２に記載のオーバーヘッド透過伝送装置。
【発明の詳細な説明】
【技術分野】
【０００１】
本発明は、基幹系ネットワークに複数の支線系ネットワークが接続されたネットワークシステムにおいて、複数の支線系ネットワークの通信データを基幹系ネットワーク上で透過伝送するためのオーバーヘッド透過伝送方法及び装置に関し、特に、２．４ＧｂｐｓのＳＤＨ（Ｓｙｎｃｈｒｏｎｏｕｓ  Ｄｉｇｉｔａｌ  Ｈｉｅｒａｒｃｈｙ）基幹系ネットワークと、１５０ＭｂｐｓのＳＤＨ支線系ネットワークとの間で、透過伝送を行うためのオーバーヘッド透過伝送方法及び装置に関する。
【背景技術】
【０００２】
複数のＳＤＨネットワーク間で、伝送フォーマットの変換処理を行うことなく、データのマッピング処理のみにより透過伝送を行うことは、転送処理遅延や処理バッファのオーバーフローによる通信エラーを回避することができ、伝送速度の高速化及び通信品質の向上化を図ることができる。複数のＳＤＨネットワーク間又は二重化ＳＤＨ伝送装置間で透過伝送を行う技術等は下記の特許文献に記載されている。
【０００３】
【特許文献１】特開２００３−２０４３４２号公報
【特許文献２】特開２００３−６０７３６号公報
【特許文献３】再表０１／０２０８５２号公報
【特許文献４】特開平９−２６６４７４号公報
【特許文献５】特開２００２−３７４２８５号公報
【０００４】
近年のＳＤＨ光伝送装置において、大規模なネットワークシステムに対する運用・保守などを行うネットワーク管理システム（ＮＭＳ：Ｎｅｔｗｏｒｋ  Ｍａｎａｇｅｍｅｎｔ  Ｓｙｓｔｅｍ）の強化及び充実が求められ、運用・保守などを行うためのセクションオーバーヘッドに充分な情報領域が用意されている。
【０００５】
しかし、従来のネットワークでは、運用・保守に使用される情報量が少なく、またサポートするネットワークも小規模であったことから、ＳＤＨの伝送フォーマットのオーバーヘッドの情報バイトの内、“Ｄａｔａ  Ｃｏｍｍｕｎｉｃａｔｉｏｎ  Ｃｈａｎｎｅｌ”（Ｄバイト）を用い、運用・保守の処理を一つのＣＰＵユニットで集約して送受信及び中継を行っている。
【発明の開示】
【発明が解決しようとする課題】
【０００６】
従来、一つのネットワーク内においてＳＤＨのオーバーヘッドの“Ｄａｔａ  Ｃｏｍｍｕｎｉｃａｔｉｏｎ  Ｃｈａｎｎｅｌ”（Ｄバイト）を用いて１パスのみを監視制御用として取り扱っていたが、ネットワークが大規模になり、基幹系（２．４Ｇｂｐｓ）のネットワークに支線系（１５０Ｍｂｐｓ）のネットワークが幾つも接続されるようになると、運用・保守に使用される情報バイトを、基幹系ネットワークを介して幾つもの支線系ネットワークの間でやり取りし、基幹系ネットワークで接続された支線系ネットワークで相互により多くの運用・保守情報をより高速に伝達することが要求される。
【０００７】
本発明は、幾つもの支線系（１５０Ｍｂｐｓ）ネットワークが接続された基幹系（２．４Ｇｂｐｓ）ネットワークの伝送装置において、運用・保守に使用される幾つもの支線系（１５０Ｍｂｐｓ）のＳＤＨのオーバーヘッドの情報バイトを、基幹系ネットワーク上で透過伝送し、支線系ネットワーク相互間でより高速に伝達可能にするオーバーヘッド透過伝送方法及び装置を提供することを目的とする。
【課題を解決するための手段】
【０００８】
本発明のオーバーヘッド透過伝送方法は、（１）基幹系ネットワークに支線系ネットワークを接続したネットワークシステムにおいて、支線系ネットワークの運用に使用する特定のオーバーヘッドバイトを、基幹系ネットワークの伝送フォーマットのオーバーヘッドの未使用バイトを利用して基幹系ネットワーク上で透過伝送し、複数の支線系ネットワーク間で基幹系ネットワークを経由してオーバーヘッドを透過伝送することを特徴とする。
【０００９】
また、（２）本発明のオーバーヘッド透過伝送装置は、基幹系ネットワークと支線系ネットワークとに接続され、基幹系ネットワークから支線系ネットワークへ、また支線系ネットワークから基幹系ネットワークへ伝送データを中継する機能を備えた伝送装置であって、支線系ネットワークの運用で使用される特定のオーバーヘッドバイトを、基幹系ネットワークの伝送フォーマットのオーバーヘッドの未使用バイトにマッピングする手段と、該基幹系ネットワークの伝送フォーマットのオーバーヘッドにマッピングされた支線系ネットワークの特定のオーバーヘッドバイトを、支線系ネットワークの伝送フォーマットのオーバーヘッドに移し替える手段とを有し、支線系ネットワークと基幹系ネットワークとの間でオーバーヘッドを透過伝送するオーバーヘッド透過伝送手段を備えたことを特徴とする。
【００１０】
また、（３）基幹系ネットワーク及び支線系ネットワークのそれぞれの伝送路を、前記オーバーヘッド透過伝送手段に選択的に接続する選択スイッチを備え、オーバーヘッドの透過伝送対象の伝送路を選択してオーバーヘッドの透過伝送を行う構成を備えたことを特徴とする。
【発明の効果】
【００１１】
上述のように本発明によれば、支線系ネットワークの運用に使用する特定のオーバーヘッドバイトを、基幹系ネットワークの伝送フォーマットのオーバーヘッドの未使用バイトを利用して基幹系ネットワーク上で透過伝送し、複数の支線系ネットワーク間で基幹系ネットワークを経由してオーバーヘッドを透過伝送することにより、より多くの運用・保守情報をより高速に伝達することが可能となり、大規模ネットワークに対して、より複雑で高度な保守・運用を迅速に行うことが可能となる。
【００１２】
また、オーバーヘッドの透過伝送の対象とする支線系ネットワークの伝送路のみを選択スイッチにより接続してオーバーヘッドの透過伝送をおこなうことにより、各伝送路を光インターフェース盤の任意の実装位置を実装可能となるとともに、オーバーヘッドの透過伝送を行う伝送路及びその本数を可変にすることができ、それに応じて透過伝送するオーバーヘッドのバイト数を可変とすることができ、種々の支線系ネットワークに対して柔軟に対応することが可能となる。
【発明を実施するための最良の形態】
【００１３】
図１は本発明のオーバーヘッド透過伝送の説明図である。同図において、１−１，１−２，１−３，１−４は基幹系（２．４Ｇｂｐｓ）ネットワークのＳＤＨ伝送装置、１−５，１−６，１−７，１−８，１−９，１−１０は支線系（１５０Ｍｂｐｓ）ネットワークのＳＤＨ伝送装置である。
【００１４】
基幹系ＳＤＨ伝送装置１−１，１−４は、基幹系ネットワーク（２．４Ｇｂｐｓ）及び支線系ネットワーク（１５０Ｍｂｐｓ）の伝送路から到来するＳＤＨオーバーヘッドの情報バイトを一括して終端し、支線系（１５０Ｍｂｐｓ）と基幹系（２．４Ｇｂｐｓ）との間で、ＳＤＨオーバーヘッドの相互乗り入れを行う場合、基幹系（２．４Ｇｂｐｓ）のＳＤＨオーバーヘッドの未使用バイト領域（例えばＺバイト等）を活用し、支線系（１５０Ｍｂｐｓ）のオーバーヘッドのバイトを、基幹系（２．４Ｇｂｐｓ）のＳＤＨオーバーヘッドの未使用バイト領域にマッピングして透過伝送を行う。
【００１５】
透過伝送の方路としては、基幹系→支線系、支線系→基幹系、基幹系→基幹系、支線系→支線系が可能である。こうすることにより、支線系（１５０Ｍｂｐｓ）のＳＤＨオーバーヘッドの情報バイトが基幹系（２．４Ｇｂｐｓ）のネットワーク上に透過伝送される。
【００１６】
図２は本発明による透過伝送を行うネットワークの構成例を示している。同図に示すように、基幹系ネットワーク（２．４Ｇ  ＲＩＮＧ）に３つの支線系ネットワーク（１５０Ｍ  ＲＩＮＧ）が接続され、例えば、図の２−１、２−２に示す伝送経路により、基幹系ネットワーク（２．４Ｇ  ＲＩＮＧ）の伝送装置を経由して、支線系ネットワーク（１５０Ｍ  ＲＩＮＧ）で使用されているオーバーヘッド情報が透過伝送される。
【００１７】
図３に本発明の基幹系ネットワークにおけるオーバーヘッド透過伝送装置の機能ブロックを示す。本発明によるオーバーヘッド透過伝送装置は、伝送路が接続された光インタフェース盤の各ポート３−１から伝送データが入力される。各ポート３−１から入力される伝送データは、入力マトリックススイッチ部３−２により、オーバーヘッド透過伝送の対象とする伝送データのみが選択され、処理対象オーバーヘッド設定多重分離部３−３内の任意の多重分離部（ＤＭＵＸ  ２．４Ｇ、ＤＭＵＸ  １５０Ｍ）に出力される。
【００１８】
この入力マトリックススイッチ部３−２で、各ポート３−１と処理対象オーバーヘッド設定多重分離部３−３内の多重分離部（ＤＭＵＸ  ２．４Ｇ、ＤＭＵＸ  １５０Ｍ）との接続を選択的に接続することによって、基幹系（２．４Ｇｂｐｓ）及び支線系（１５０Ｍｂｐｓ）の伝送路が接続された光インタフェース盤の実際の実装位置がどの実装位置であっても、所望の多重分離部（ＤＭＵＸ  ２．４Ｇ、ＤＭＵＸ  １５０Ｍ）に接続することができ、光インタフェース盤を任意の実装位置に挿入することが可能となる。
【００１９】
処理対象オーバーヘッド設定多重分離部３−３は、リングネットワークに対応してＥａｓｔブロックとＷｅｓｔブロックとの両系分のブロックを有し、それぞれ、基幹系の多重分離部（ＤＭＵＸ  ２．４Ｇ）と支線系の多重分離部（ＤＭＵＸ  １５０Ｍ）とを備える。各多重分離部（ＤＭＵＸ  ２．４Ｇ、ＤＭＵＸ  １５０Ｍ）は、それぞれ入力される伝送データのセクションオーバーヘッドのバイト情報を分離抽出し、Ｄａｔａ処理部３−４１，３−４２，３−４３に出力する。
【００２０】
Ｄａｔａ処理部３−４１，３−４２は、基幹系（２．４Ｇｂｐｓ）のセクションオーバーヘッドを処理し、Ｄａｔａ処理部３−４１は、オーバーヘッドの透過伝送のための変換を行わない通常系ブロックであり、処理したセクションオーバーヘッドを、処理対象オーバーヘッド設定多重部３−５の基幹系の多重部（ＭＵＸ  ２．４Ｇ）に出力する。
【００２１】
Ｄａｔａ処理部３−４２は、透過伝送のための変換を行う変換系ブロックであり、選択処理したセクションオーバーヘッドを、処理対象オーバーヘッド設定多重部３−５の支線系の多重部（ＭＵＸ  １５０Ｍ）に出力する。これにより、基幹系（２．４Ｇｂｐｓ）から支線系（１５０Ｍｂｐｓ）へのオーバーヘッドの乗り入れが行われる。
【００２２】
Ｄａｔａ処理部３−４３は、支線系（１５０Ｍｂｐｓ）のセクションオーバーヘッドを処理し、透過伝送のための変換を行わない通常系ブロックであり、処理したセクションオーバーヘッドを、処理対象オーバーヘッド設定多重部３−５の基幹系の多重部（ＭＵＸ  ２．４Ｇ）に出力する。これにより、支線系（１５０Ｍｂｐｓ）から基幹系（２．４Ｇｂｐｓ）へのオーバーヘッドの乗り入れが行われる。
【００２３】
処理対象オーバーヘッド設定多重部３−５は、Ｄａｔａ処理部３−４１，３−４２，３−４３で選択処理したオーバーヘッドのバイト情報を入力し、それぞれ、基幹系多重部（ＭＵＸ  ２．４Ｇ）と支線系多重部（ＭＵＸ  １５０Ｍ）とにより、基幹系（２．４Ｇｂｐｓ）及び支線系（１５０Ｍｂｐｓ）の伝送フォーマットにセクションオーバーヘッドを多重し、出力マトリックススイッチ部３−６に出力する。
【００２４】
出力マトリックススイッチ部３−６は、入力マトリックススイッチ部３−２と逆に、処理されたオーバーヘッド情報を送出する光インタフェース盤のポート３−７を選択し、処理対象オーバーヘッド設定多重部３−５のＷｅｓｔブロック及びＥａｓｔブロックの基幹系多重部（ＭＵＸ  ２．４Ｇ）と支線系多重部（ＭＵＸ  １５０Ｍ）とを、任意の光インタフェース盤のポート３−７に接続する。
【００２５】
次に本発明による透過伝送のセクションオーバーヘッドのフォーマット構成について説明する。図４に支線系（１５０Ｍｂｐｓ）のオーバーヘッド情報（Ｓｅｒｉａｌ  Ｌｉｎｋ）のフォーマットを示す。同図に示すオーバーヘッド情報（Ｓｅｒｉａｌ  Ｌｉｎｋ）は、光インタフェース盤ポートの伝送データのセクションオーバーヘッド（ＳＯＨ）領域から抽出して生成されたオーバーヘッド情報である。
【００２６】
同図の（ａ）は、光インタフェース盤から入力される受信側のオーバーヘッド情報のフォーマット、同図の（ｂ）は、光インタフェース盤へ出力される送信側のオーバーヘッド情報のフォーマットである。図中、斜線を施したＤ１〜Ｄ１２、Ｅ１、Ｅ２、Ｆ１、Ｋ１，Ｋ２、Ｓ１の１８個のバイト情報が透過対象のバイト情報である。
【００２７】
上記フォーマット中の１８バイトの中から更に支線系ネットワーク毎に透過伝送に必要なオーバーヘッドのバイト情報を任意に選択し、基幹系ネットワークに乗り入れる１支線系ネットワーク当たりのオーバーヘッドバイト数を減少させることにより、オーバーヘッド透過伝送可能なポート数を増加させることができる。
【００２８】
図５に、基幹系（２．４Ｇｂｐｓ）のオーバーヘッド情報（Ｓｅｒｉａｌ  Ｌｉｎｋ）のフォーマットを示す。同図に示すオーバーヘッド情報（Ｓｅｒｉａｌ  Ｌｉｎｋ）は、受信側の光インタフェース盤から入力される伝送データのセクションオーバーヘッド（ＳＯＨ）領域から抽出して生成されたオーバーヘッド情報を示し、同図において各升目の背景にパターン模様を施したバイト情報が透過対象の情報バイトである。
【００２９】
また、図６に基幹系（２．４Ｇｂｐｓ）の送信側の光インタフェース盤に出力される伝送データのオーバーヘッド情報（Ｓｅｒｉａｌ  Ｌｉｎｋ）のフォーマットを示し、図５と同様に各升目の背景にパターン模様を施したバイト情報が透過対象の情報バイトである。
【００３０】
図５及び図６に示すように、
Ｚ１＃２〜Ｚ１＃１２の１１バイトを第１のポートのオーバーヘッド情報に、
Ｚ１＃１３〜Ｚ１＃２３の１１バイトを第２のポートのオーバーヘッド情報に、
Ｚ１＃２４〜Ｚ１＃３４の１１バイトを第３のポートのオーバーヘッド情報に、
Ｚ１＃３５〜Ｚ１＃４５の１１バイトを第４のポートのオーバーヘッド情報に、
Ｚ１＃４６〜Ｚ１＃４８及びＺ２＃１，Ｚ２＃２，Ｚ２＃３〜Ｚ２＃９の１１バイトを第５のポートのオーバーヘッド情報に、
Ｚ２＃１０〜Ｚ２＃２０の１１バイトを第６のポートのオーバーヘッド情報に、
Ｚ２＃２１〜Ｚ２＃３１の１１バイトを第７のポートのオーバーヘッド情報に、
Ｚ２＃３２〜Ｚ２＃４２の１１バイトを第８のポートのオーバーヘッド情報に
使用することにより、各ポートで１１バイトのオーバーヘッド情報を８ポート分、基幹系のオーバーヘッドに乗り入れることができ、各ポートに接続された８本分の支線系（１５０Ｍ）のオーバーヘッド情報を透過伝送することができる。
【産業上の利用可能性】
【００３１】
本発明の基幹系ネットワークとして大都市間を相互に接続する大規模ネットワークに適用し、本発明の支線系ネットワークとして１つの大都市の周辺の中小都市の小規模ネットワークに適用し、中小都市の小規模ネットワークを広範囲に亙る大規模ネットワークを介して相互に接続してデータ伝送を高速にかつ高い信頼性で実現することが可能となる。
【図面の簡単な説明】
【００３２】
【図１】本発明のオーバーヘッド透過伝送の説明図である。
【図２】本発明による透過伝送を行うネットワークの構成例を示す図である。
【図３】本発明の基幹系ネットワークにおけるオーバーヘッド透過伝送装置の機能ブロックを示す図である。
【図４】支線系（１５０Ｍｂｐｓ）のオーバーヘッド情報（Ｓｅｒｉａｌ  Ｌｉｎｋ）のフォーマットを示す図である。
【図５】基幹系（２．４Ｇｂｐｓ）のオーバーヘッド情報（Ｓｅｒｉａｌ  Ｌｉｎｋ）のフォーマット（受信側）を示す図である。
【図６】基幹系（２．４Ｇｂｐｓ）のオーバーヘッド情報（Ｓｅｒｉａｌ  Ｌｉｎｋ）のフォーマット（送信側）を示す図である。
【符号の説明】
【００３３】
１−１  基幹系（２．４Ｇｂｐｓ）ネットワークのＳＤＨ伝送装置
１−２  基幹系（２．４Ｇｂｐｓ）ネットワークのＳＤＨ伝送装置
１−３  基幹系（２．４Ｇｂｐｓ）ネットワークのＳＤＨ伝送装置
１−４  基幹系（２．４Ｇｂｐｓ）ネットワークのＳＤＨ伝送装置
１−５  支線系（１５０Ｍｂｐｓ）ネットワークのＳＤＨ伝送装置
１−６  支線系（１５０Ｍｂｐｓ）ネットワークのＳＤＨ伝送装置
１−７  支線系（１５０Ｍｂｐｓ）ネットワークのＳＤＨ伝送装置
１−８  支線系（１５０Ｍｂｐｓ）ネットワークのＳＤＨ伝送装置
１−９  支線系（１５０Ｍｂｐｓ）ネットワークのＳＤＨ伝送装置
１−１０  支線系（１５０Ｍｂｐｓ）ネットワークのＳＤＨ伝送装置
【図１】
2005080037.tif 000003
【図２】
2005080037.tif 000004
【図３】
2005080037.tif 000005
【図４】
2005080037.tif 000006
【図５】
2005080037.tif 000007
【図６】
2005080037.tif 000008